(57)【要約】【課題】少なくとも誘導性素子と容量性素子を一体化した受動電子素子構造を提供すること。【解決手段】誘導性／容量性素子一体化構造は、第１及び第２の外側レグと該第１と第２の外側レグの間にある第３の内側レグとを含んだ磁気コアと、第１及び第２の外側レグの上にそれぞれ巻き付けられた第１及び第２の巻き線と、第３の内側レグの上に巻き付けられた第３の巻き線と、を含む。第１と第２の巻き線は、電気的に結合されると共に第１の誘導性巻き線を成している。第１の誘導性巻き線は、第３の内側レグを通過する実効的な磁束を生成しない。第３の巻き線は第２の誘導性巻き線を形成している。第１、第２及び第３の巻き線のうちの少なくとも１つは、複合巻き線であると共に、少なくとも１つの埋め込みコンデンサを成している。【選択図】図１
2012507861.tif 000002
【特許請求の範囲】
【請求項１】
第１及び第２の外側レグと該第１と第２の外側レグの間にある第３の内側レグとを含んだ磁気コアと、
前記第１及び第２の外側レグの上にそれぞれ巻き付けられた第１及び第２の巻き線であって、該第１と第２の巻き線は電気的に結合されると共に第３の内側レグを通過する実効的な磁束を生成しない第１の誘導性巻き線を備えている第１及び第２の巻き線と、
第２の誘導性巻き線を形成するように第３の内側レグの上に巻き付けられた第３の巻き線と、を備えた誘導性／容量性素子一体化構造であって、
前記第１、第２及び第３の巻き線のうちの少なくとも１つは、複合巻き線であると共に少なくとも１つの埋め込みコンデンサを備えている、誘導性／容量性素子一体化構造。
【請求項２】
前記第２の誘導性巻き線は前記第１の誘導性巻き線に対して実効的な磁束を発生させない、請求項１に記載の構造。
【請求項３】
前記第１及び第２の外側レグは第３の内側レグの周りで対称性である、請求項１に記載の構造。
【請求項４】
前記第１及び第２の巻き線は等しい周回数を備えると共に隣接する周回間の距離が同じである、請求項１に記載の構造。
【請求項５】
前記第１、第２及び第３の巻き線のうちの少なくとも１つは、第１の側及び第２の側を有しかつ該第１及び第２の側に導電性巻き線を有する誘電体層を備える、請求項１に記載の構造。
【請求項６】
前記第１及び第２の外側レグの両者はエアギャップを有しており、かつ前記第１及び第２の巻き線は一体となってインダクタを成している、請求項１に記載の構造。
【請求項７】
前記第３の内側レグはエアギャップを有しており、かつ前記第３の巻き線はインダクタを成している、請求項１に記載の構造。
【請求項８】
前記第１、第２及び第３の巻き線のうちの少なくとも１つは、電気的コネクタを介して電気的に結合させた２つのパーツに分割されている、請求項１に記載の構造。
【請求項９】
さらに、磁気コアの第１及び第２の外側レグの周りにそれぞれ巻き付けられた第４及び第５の巻き線を含んでおり、該第４及び第５の巻き線は等しい周回数を有すると共に隣接する周回間の距離が同じでありかつ互いに電気的に結合されている、請求項１に記載の構造。
【請求項１０】
前記第１、第２、第４及び第５の巻き線は一体となって変成器を形成しており、該第１及び第２の巻き線は一体となって該変成器の１次側の役割をしかつ該第４及び第５の巻き線は一体となって該変成器の２次側の役割をしている、請求項９に記載の構造。
【請求項１１】
さらに第６の巻き線を含んでおり、前記第３及び第６の巻き線のそれぞれが変成器の１次及び２次巻き線の役割をしている、請求項１に記載の構造。
【請求項１２】
前記磁気コアはさらに第４の内側レグを含んでおり、前記第１及び第２の外側レグにより第１の面が規定されており、前記第３及び第４の内側レグによって該第１の面と交差する第２の面が規定されている、請求項１に記載の構造。
【請求項１３】
さらに前記第４の内側レグの周りに巻き付けられた第７の巻き線を含んでおり、該第７の巻き線と第３の巻き線は同じ構成を有すると共に第３及び第７の巻き線がそれぞれ発生させる磁束は互いに実質的に脱結合されている、請求項１１に記載の構造。
【請求項１４】
前記第２の誘導性巻き線は第１の誘導性巻き線を通過する実効的な磁束を生成しない、請求項１に記載の構造。
【請求項１５】
第１及び第２の外側レグと該第１と第２の外側レグの間にある第３の内側レグとを備えた磁気コアであって、該第１及び第２の外側レグが該第３の内側レグの周りで対称性である磁気コアと、
前記第３の内側レグ上に巻き付けられた第１及び第２の巻き線であって、該第１及び第２の巻き線は互いに電気的に結合されると共に第１及び第２の巻き線のそれぞれが発生させる磁束が実質的に等しくかつ反対方向となるように構成されており、かつ第１と第２の巻き線のうちの少なくとも一方は埋め込みコンデンサを成している第１及び第２の巻き線と、
前記磁気コア上に巻き付けられた誘導性巻き線と、
を備える誘導性／容量性素子一体化構造。
【請求項１６】
前記誘導性巻き線は前記第３の内側レグの上に巻き付けられている、請求項１５に記載の構造。
【請求項１７】
前記誘導性巻き線は前記第１と第２の外側レグのうちの一方の上に巻き付けられている、請求項１５に記載の構造。
【請求項１８】
前記磁気コアの第３の内側レグがエアギャップを備える、請求項１５に記載の構造。
【請求項１９】
前記第１と第２の外側レグのうちの一方がエアギャップを備える、請求項１５に記載の構造。
【請求項２０】
前記第１及び第２の外側レグの各々がエアギャップを備える、請求項１５に記載の構造。
【請求項２１】
第１のレグ、第２のレグ及び第３のレグを含んだ磁気コアと、
前記第１及び第２のレグの周りにそれぞれ巻き付けられた第１及び第２の巻き線と、を備える誘導性／容量性素子一体化構造であって、
前記第３のレグは実質的に中実でありかつ巻き線を有さず、これにより前記第１及び第２の巻き線が発生させる磁束は第３のレグを通って流れると共に、第１及び第２の巻き線のそれぞれが発生させる磁束は互いに影響し合わない、誘導性／容量性素子一体化構造。
【請求項２２】
さらに、複数のレグと、その各々が対応するレグの周りに巻き付けられた複数の巻き線と、を備えており、かつ該巻き線が発生させる磁束は第３のレグを通って流れる、請求項２１に記載の構造。
【請求項２３】
前記第１と第２の巻き線のうちの少なくとも一方は埋め込みコンデンサを含む、請求項２１に記載の構造。
【請求項２４】
その各々がエアギャップを備えた第１のレグ、第２のレグ及び第３のレグを含んだ磁気コアと、
前記第１及び第２のレグの周りにそれぞれ巻き付けられた第１及び第２の誘導性巻き線と、を備える誘導性／容量性素子一体化構造であって、
前記第１及び第２の誘導性巻き線が発生させる磁束は部分的に第３のレグを通って流れると共に、該第１及び第２の誘導性巻き線は少なくとも部分的に磁気的に脱結合されている、誘導性／容量性素子一体化構造。
【発明の詳細な説明】
【技術分野】
【０００１】
本発明の実施形態は電子素子に関し、またさらに詳細には、少なくとも誘導性素子と容量性素子を一体化した受動電子素子構造に関する。
【背景技術】
【０００２】
誘導性と容量性素子を一体化した受動電子素子は、常にプロフィールの削減を求める要求にとって有益なものである。受動型の一体化によれば誘導性素子と容量性素子を単一の構造になるように組み込むことが可能となる。この誘導性素子はインダクタや変成器とすることができる。
【先行技術文献】
【特許文献】
【０００３】
【特許文献１】米国特許出願第１２／２６０４４７号
【発明の概要】
【発明が解決しようとする課題】
【０００４】
インダクタ−インダクタ−コンデンサ（Ｌ−Ｌ−Ｃ）、インダクタ−コンデンサ−変成器（Ｌ−Ｃ−Ｔ）及びインダクタ−インダクタ−コンデンサ−変成器（Ｌ−Ｌ−Ｃ−Ｔ）構造などの様々な構造は、コンデンサをインダクタ及び／または変成器と一体化することによって製作されるのが一般的である。誘導性素子と容量性素子は一般に非独立的に設計されており、このことは一体化構造のプロフィールをさらに低減させる際に不利である。
【課題を解決するための手段】
【０００５】
本発明の一態様は、誘導性／容量性素子一体化構造に属する。この誘導性／容量性素子一体化構造は、第１及び第２の外側レグと該第１と第２の外側レグの間にある第３の内側レグとを含んだ磁気コアと、第１及び第２の外側レグの上にそれぞれ巻き付けられた第１及び第２の巻き線と、第３の内側レグの上に巻き付けられた第３の巻き線と、を含む。第１と第２の巻き線は、電気的に結合されると共に第１の誘導性巻き線を成している。この第１の誘導性巻き線は第３の内側レグを通過する実効的な磁束を生成しない。第３の巻き線は第２の誘導性巻き線を形成している。第１、第２及び第３の巻き線のうちの少なくとも１つは、複合巻き線であると共に、少なくとも１つの埋め込みコンデンサを成している。
【０００６】
本発明の別の態様は、誘導性／容量性素子一体化構造に属する。この誘導性／容量性素子一体化構造は磁気コアを含む。この磁気コアは、第１及び第２の外側レグと、第１と第２の外側レグの間にある第３の内側レグと、を含む。この第１と第２の外側レグは第３の内側レグの周りで対称性である。第３の内側レグ上に第１及び第２の巻き線が巻き付けられており、この第１と第２の巻き線は互いに電気的に結合されると共に第１及び第２の巻き線のそれぞれが発生させる磁束が実質的に等しくかつ反対方向となるように構成されており、かつ第１と第２の巻き線のうちの少なくとも一方は埋め込みコンデンサを成している。この一体化構造はさらに、磁気コア上に巻き付けられた誘導性巻き線を含む。
【０００７】
本発明のさらに別の態様は、誘導性／容量性素子一体化構造に属する。この一体化構造は、第１のレグ、第２のレグ及び第３のレグを含んだ磁気コアと、第１及び第２のレグの周りにそれぞれ巻き付けられた第１及び第２の巻き線と、を含む。第３のレグは実質的に中実でありかつ巻き線を有さず、これにより第１及び第２の巻き線が発生させる磁束は第３のレグを通って流れる。第１及び第２の巻き線のそれぞれが発生させる磁束は互いに影響し合わない。
【０００８】
本発明のさらに別の態様は、誘導性／容量性素子一体化構造に属する。この一体化構造は、それぞれがエアギャップを備えた第１のレグ、第２のレグ及び第３のレグを含んだ磁気コアを含む。第１及び第２のレグの周りにはそれぞれ第１及び第２の誘導性巻き線が巻き付けられている。第１及び第２の誘導性巻き線が発生させる磁束は部分的に第３のレグを通って流れると共に、第１と第２の誘導性巻き線は少なくとも部分的に磁気的に脱結合されている。
【０００９】
これらの利点及び特徴、並びにその他の利点及び特徴については、添付の図面と関連して提供している本発明の好ましい実施形態に関する以下の詳細な説明からより容易に理解されよう。
【００１０】
本発明に関するこれらの特徴、態様及び利点、並びにその他の特徴、態様及び利点については、同じ参照符号が図面全体を通じて同じ部分を表している添付の図面を参照しながら以下の詳細な説明を読むことによってより理解が深まるであろう。
【図面の簡単な説明】
【００１１】
【図１】本発明の一実施形態による例示的なＬ−Ｌ−Ｃ一体化構造を表した図である。
【図２】本発明の一実施形態による複合巻き線の断面図である。
【図３】本発明の別の実施形態によるＬ−Ｌ−Ｃ一体化構造を表した図である。
【図４】本発明のさらに別の実施形態によるＬ−Ｃ−Ｔ一体化構造を表した図である。
【図５】本発明のさらに別の実施形態によるＴ−Ｔ−Ｃ一体化構造を表した図である。
【図６】本発明のさらに別の実施形態によるマルチＬ−Ｃ−Ｔ一体化構造を表した図である。
【図７】本発明のさらに別の実施形態によるＬ−Ｌ−Ｃ一体化構造を表した図である。
【図８】本発明のさらに別の実施形態によるマルチＬ−Ｃ一体化構造を表した図である。
【図９】本発明のさらに別の実施形態によるＬ−Ｃ一体化構造を表した図である。
【図１０】本発明のさらに別の実施形態によるＬ−Ｃ−Ｔ一体化構造を表した図である。
【発明を実施するための形態】
【００１２】
図１を参照すると、本発明の一実施形態に従った誘導性／容量性素子一体化構造１００を表している。一体化構造１００は、磁気コア１２と、該磁気コア１２上に巻き付けられた第１の巻き線１４、第２の巻き線１６及び第３の巻き線１８と、を含む。磁気コア１２は、第１の外側レグ２０及び第２の外側レグ２２と、第１と第２の外側レグ２０、２２の間にある第３の内側レグ２４と、を含む。第１の外側レグ２０と第３の内側レグ２４は一体となって第１の閉ループ磁気経路Ｐ１を形成している。第２の外側レグ２２と第３の内側レグ２４は一体となって第２の閉ループ磁気経路Ｐ２を形成している。第１の外側レグ２０と第２の外側レグ２２は一体となって第３の閉ループ磁気経路Ｐ３を形成している。第１及び第２の巻き線１４、１６は電気的に結合されて第１の誘導性巻き線Ｌ１を形成している。第３の巻き線１８は第２の誘導性巻き線Ｌ２を形成している。
【００１３】
第３の巻き線１８は第３の内側レグ２４上に巻き付けられている。第１及び第２の巻き線１４、１６はそれぞれ第１及び第２の外側レグ２０、２２の上に巻き付けられている。図示した第１の巻き線１４が発生させた磁束は、第１及び第３の閉ループ磁気経路Ｐ１及びＰ３を通過して流れる。図示した第２の巻き線１６が発生させた磁束は、第２及び第３の閉ループ磁気経路Ｐ２及びＰ３を通過して流れる。
【００１４】
第１の巻き線１４が発生させた磁束は、第１の方向で第３の内側レグ２４を通過して第１の大きさをもって流れる。第２の巻き線１６が発生させた磁束は、第２の方向で第３の内側レグ２４を通過して第２の大きさをもって流れる。第１及び第２の巻き線１４、１６は、第１及び第２の大きさが互いに実質的に等しい一方第１及び第２の方向が互いに反対方向となるような方式で配列されている。この方法によると、第１及び第２の巻き線１４、１６（すなわち、第１の誘導性巻き線Ｌ１）が、第３の内側レグ２４の上の第３の巻き線１８上に実効的な磁束を全く発生させることがない。さらに、第３の巻き線１８（すなわち、第２の誘導性巻き線Ｌ２）が発生させた磁束は、第１及び第２の閉ループ磁気経路Ｐ１及びＰ２を通過して流れる。図示した実施形態では、第１の外側レグ２０を通過する第３の巻き線１８からの磁束は第１の巻き線１４が発生させる磁束と反対の方向にあり、第２の外側レグ２２を通過する第３の巻き線１８からの磁束はこの磁束と同じ方向にある。したがって第３の巻き線１８（すなわち、第２の誘導性巻き線Ｌ２）は、第１の誘導性巻き線Ｌ１上に実効的な磁束を全く発生させることがない。
【００１５】
ある種の実施形態ではその第１及び第２の外側レグ２０、２２は第３の内側レグ２４の周りで対称性である。ある種の実施形態ではその第１及び第２の巻き線１４及び１６は、巻き線層の数が同じでありかつ各層ごとの周回数が同じであるようなプリント式配線である。第１及び第２の巻き線１４及び１６の各層間の距離は同じである。第１及び第２の巻き線１４及び１６の各周回間の距離は同じである。
【００１６】
ある種の実施形態では、第１の巻き線１４、第２の巻き線１６及び第３の巻き線１８のうちの少なくとも１つが少なくとも１つの埋め込みコンデンサを含んだ複合巻き線である。図２は、複合巻き線の断面図を表している。この複合巻き線は、その相対する側に導電性巻き線２６を備えた誘電体層２８を含む。ある種の実施形態ではその導電性巻き線２６は、積層化過程によって誘電体層２８の相対する側に取り付けられている。
【００１７】
ある種の実施形態ではその誘電体層２８は、大きなキャパシタンスを生成するために強誘電性セラミックと埋め込みコンデンサの積層などの誘電率が高い材料から製作されている。導電性巻き線２６は、銅などの導電率のよい導体材料から製作することが可能である。磁気コア１２は、ソフトフェライトコア、平面コアまたは別のタイプのコアとすることが可能である。
【００１８】
ある種の実施形態では、第１及び第２の外側レグ２０、２２と第３の内側レグ２４との各々がエアギャップ３０を有する。上で言及したように、第１及び第２の巻き線１４、１６を電気的に結合させることがあり、またしたがって第１と第２の巻き線１４、１６は一体となって第１のインダクタＬ１の役割をすることがある。第３の巻き線１８は第２のインダクタＬ２を形成することがある。したがって、第１の巻き線１４、第２の巻き線１６、第３の巻き線１８及び磁気コア１２が一体となってＬ１−Ｌ２−Ｃの一体化構造を形成している。ある種の実施形態ではその第１の巻き線１４、第２の巻き線１６及び第３の巻き線１８はすべて、それぞれが埋め込みコンデンサＣ１、Ｃ２及びＣ３を含んだ複合巻き線である。第１の巻き線１４、第２の巻き線１６及び第３の巻き線１８並びに磁気コア１２は一体となってＬ１−Ｌ２−Ｃ１−Ｃ２−Ｃ３の一体化構造を形成している。
【００１９】
図３は、本発明の別の実施形態による誘導性／容量性素子一体化構造２００を表している。図示した実施形態では第３の巻き線２１８は、エアギャップ３０内に配置させたプリント回路基板３２を介して互いに電気的に結合させた２つのパーツを含む。一方この２つのパーツは他の電気コネクタを介して電気的に結合させることが可能である。
【００２０】
図４は、本発明のさらに別の実施形態による一体化構造３００を表している。図示したように一体化構造３００は、共有の磁気コア３１２上に一体化させたＬ−Ｃ−Ｔ構造を含む。磁気コア３１２は、第１の外側レグ３２０及び第２の外側レグ３２２と、第１と第２の外側レグ３２０、３２２の間の第３の内側レグ３２４と、を含む。一体化構造３００は、第１及び第２の外側レグ３２０、３２２の上にそれぞれ巻き付けられた第１及び第２の巻き線３１４、３１６を含む。第３の内側レグ上３２４には第３の巻き線３１８が巻き付けられている。第１及び第２の巻き線３１４、３１６は、第１及び第２の巻き線３１４、３１６のそれぞれが発生させる磁束が第３の内側レグ３２４から実質的に脱結合されるような方式で配列されている。一体化構造３００はさらに、第１及び第２の外側レグ３２０、３２２の上にそれぞれ巻き付けられた第４及び第５の巻き線３３４、３３６を含む。第４及び第５の巻き線３３４、３３６は、第１及び第２の巻き線３１４、３１６のそれぞれが発生させる磁束が第３の内側レグ３２４上で実質的に脱結合されるような方式で配列されている。第１及び第２の巻き線３１４、３１６を電気的に結合させており、これらが一体となって変成器Ｔの１次側を形成している。第４及び第５の巻き線３３４、３３６を電気的に結合させており、これらが一体となって変成器Ｔの２次側を形成している。第３の巻き線３１８は誘導性巻き線Ｌを形成している。図示した実施形態では、変成器Ｔ及び誘導性巻き線Ｌは互いから磁気的に脱結合されている。一実施形態では、第１、第２、第３、第４及び第５の巻き線のうちの少なくとも１つが埋め込みコンデンサＣを備えた複合巻き線であり、これによって一体化させたＬ−Ｃ−Ｔ構造３００を形成している。
【００２１】
図５を参照すると、本発明のさらに別の実施形態による一体化構造４００を表している。より具体的には、一体化されたＴ−Ｔ−Ｃ構造を磁気コア４１２を用いるように表している。一体化構造４００は、第１及び第２の外側レグ４２０、４２２の上にそれぞれ巻き付けられた第１及び第２の巻き線４１４、４１６を含む。第３の内側レグ４２４の上には第３の巻き線４１８が巻き付けられている。第１及び第２の巻き線４１４、４１６は、第１及び第２の巻き線４１４、４１６のそれぞれが発生させる磁束が第３の内側レグ４２４上で実質的に脱結合となるような方式で配列されている。一体化構造４００はさらに、第１及び第２の外側レグ４２０、４２２の上にそれぞれ巻き付けられた第４及び第５の巻き線４３４、４３６を含む。第４及び第５の巻き線４３４、４３６は、第４及び第５の巻き線４３４、４３６のそれぞれが発生させる磁束が第３の内側レグ４２４上で実質的に脱結合となるような方式で配列されている。第１及び第２の巻き線４１４、４１６は電気的に結合されると共に、一体となって第１の変成器Ｔ１の１次側を形成している。第４及び第５の巻き線４３４、４３６は電気的に結合されると共に、一体となって第１の変成器Ｔ１の２次側を形成している。一体化構造４００はさらに、第６の巻き線４３８を含む。第３及び第６の巻き線４１８、４３８はそれぞれ、第２の変成器Ｔ２の１次及び２次巻き線を形成している。このために第１及び第２の変成器Ｔ１及びＴ２は互いに対して実効的なフラックスを生成せずまたこれによりこれらは実質的に脱結合となっている。第１、第２、第３、第４及び第５の巻き線のうちの少なくとも１つは埋め込みコンデンサＣを備えた複合巻き線である。こうした一実施形態では、一体化Ｔ１−Ｔ２−Ｃ構造４００が形成されている。
【００２２】
図６を参照すると、本発明のさらに別の実施形態による一体化構造５００を表している。一体化構造５００は、実質的に３次元の磁気コア５１２を含む。磁気コア５１２は、３次元の十字形状を形成するように互いに交差した第１及び第２のコアパーツ５２１、５２２を含む。一実施形態ではその第１及び第２のコアパーツ５２１、５２２は、直角θを形成するように互いに交差しているが、コアパーツ間でのその他の角度関係も可能である。第１及び第２のコアパーツ５２１、５２２の各々は、２つの横方向レグ５２３及び５２４を含む。一実施形態ではその第２のコアパーツ５２２はこの２つの横方向レグ５２４上に第１の巻き線５１４、第２の巻き線５１６、第４の巻き線５３４及び第５の巻き線５３６を含んでおり、これにより図４及び５に示した実施形態において記載したのと同様の変成器Ｔが形成されている。第１のコアパーツ５２１の２つの横方向レグ５２３の上にそれぞれ第６及び第７の巻き線５４４及び５４６が巻き付けられている。図示した第１、第２、第４及び第５の巻き線の配列はさらに第１のコアパーツ５２１から磁気的に脱結合されており、したがって発生した磁束が第２のコアパーツ５２２上の第６及び第７の巻き線５４４及び５４６に影響を及ぼすことがない。第１、第２、第４、第５、第６及び第７の巻き線のうちの少なくとも１つは埋め込みコンデンサＣを備えた複合巻き線である。
【００２３】
図７を参照すると、本発明のさらに別の実施形態による一体化構造６００を表している。一体化構造６００は磁気コア６１２を含む。磁気コア６１２は、第１、第２及び第３のレグ６２０、６２２、６２４を含む。一体化構造６００はさらに、第１及び第２のレグ６２０、６２２のそれぞれの上に巻き付けられた第１及び第２の巻き線１４、１６を含む。第１と第２の巻き線６１４、６１６のうちの少なくとも一方は、埋め込みコンデンサＣを備えた複合巻き線である。第３のレグ６２４は、エアギャップがなくかつ巻き線を備えず実質的に中実である。このために、第１及び第２の巻き線６１４、６１６のそれぞれが発生させる磁束が第３のレグ６２４を通って流れ、このため第１及び第２のレグが発生させる磁束が互いに影響し合うことがない。ある種の実施形態（図７に示すような実施形態）では、第１及び第２の外側レグの各々がエアギャップを有しており、このため第１及び第２の巻き線６１４、６１６がそれぞれインダクタの役割をしている。別の実施形態（図７には図示せず）では、第１及び第２のレグ６２０、６２２のそれぞれが図６に示したのと同様の変成器を含む。
【００２４】
図８は、本発明のさらに別の実施形態による一体化構造７００を表している。一体化構造７００は、複数のレグ７２０を有する磁気コア７１２を含む。一体化構造７００はさらに、エアギャップ３０を備えたレグ上に巻き付けられた巻き線７０を含む。少なくとも１つのレグ７２４はエアギャップがなくかつ巻き線を備えず実質的に中実である。したがって、各巻き線７０が発生させる磁束は他の巻き線に影響を及ぼすことなく少なくとも１つのレグ７２４を通って流れる。図示した実施形態では、各巻き線７０は１つのインダクタである。別の実施形態ではその一体化構造７００はレグの上にそれぞれ巻き付けられた変成器を有することがある。
【００２５】
図９を参照すると、本発明のさらに別の実施形態による一体化構造８００を表している。一体化構造８００は磁気コア８１２を含む。磁気コア８１２は、第１及び第２の外側レグ８２０、８２２と、第１と第２の外側レグ８２０、８２２の間にある第３の内側レグ８２４と、を有する。第１及び第２の外側レグ８２０、８２２は第３の内側レグ８２４の周りで実質的に対称性である。一体化構造８００はさらに、第３の内側レグ８２４上に巻き付けられた第１及び第２の巻き線８４８、８５８を含む。第１及び第２の巻き線８４８、８５８は互いに電気的に結合されると共に、第１及び第２の巻き線８４８、８５８のそれぞれが発生させる磁束が大きさが実質的に同じで方向が反対となるような方式で構成されている。第１と第２の巻き線８４８、８５８のうちの少なくとも一方は埋め込みコンデンサＣを含んでおり、これにより第１及び第２の巻き線８４８、８５８が一体となってコンデンサＣの役割をする。一体化構造８００はさらに第３の誘導性巻き線８６８を含む。第３の誘導性巻き線８６８はインダクタまたは変成器を形成することが可能である。第３の誘導性巻き線８６８は、第１または第２の外側レグ８２０、８２２の上、あるいは第３の内側レグ８２４の上に巻き付けることが可能である。
【００２６】
図１０を参照すると、本発明のさらに別の実施形態による一体化構造９００を表している。一体化構造９００は磁気コア９１２を含む。磁気コア９１２は、第１のレグ９２０、第２のレグ９２２及び第３のレグ９２４を含む。一体化構造９００はさらに、第１及び第２のレグ９２０、９２２のそれぞれの上に巻き付けられた第１及び第２の誘導性巻き線９７４、９７６を含む。図示した実施形態では、第１の誘導性巻き線９７４がエアギャップ３０を有する変成器を形成する一方、第２の誘導性巻き線９７６はインダクタを形成している。第１と第２の巻き線９７４、９７６のうちの少なくとも一方は、埋め込みコンデンサＣを備えた複合巻き線である。第３のレグ９２４はエアギャップを有するが巻き線を備えていない。第１及び第２の誘導性巻き線９７４、９７６が発生させた磁束は部分的に第３のレグ９２４を通って流れており、また巻き線９７４、９７６はしたがって互いに部分的に脱結合されている。脱結合となる磁束の比は、例えば第３のレグ９２４中のエアギャップ３０の距離を変更することによって調整することが可能である。
【００２７】
ある種の実施形態では、上述のような誘導性／容量性素子一体化構造１００〜９００を、ＣＦＬやＬＥＤランプ、並びにその他のパワーエレクトロニクス製品などの電子式安定器に応用することが可能である。
【００２８】
本発明のある種の特徴についてのみ本明細書において図示し説明してきたが、当業者によって多くの組み合わせ、修正及び変更がなされるであろう。したがって添付の特許請求の範囲が、本発明の真の精神の範囲に属するこうした修正や変更のすべてを包含させるように意図したものであることを理解されたい。
【符号の説明】
【００２９】
１２  磁気コア
１４  第１の巻き線
１６  第２の巻き線
１８  第３の巻き線
２０  第１の外側レグ
２２  第２の外側レグ
２４  第３の内側レグ
２６  導電性巻き線
２８  誘電体層
３０  エアギャップ
３２  プリント回路基板
７０  巻き線
１００  誘導性／容量性素子一体化構造
２００  誘導性／容量性素子一体化構造
２１８  第３の巻き線
３００  一体化構造
３１２  磁気コア
３１４  第１の巻き線
３１６  第２の巻き線
３１８  第３の巻き線
３２０  第１の外側レグ
３２２  第２の外側レグ
３２４  第３の内側レグ
３３４  第４の巻き線
３３６  第５の巻き線
４００  一体化構造
４１２  磁気コア
４１４  第１の巻き線
４１６  第２の巻き線
４１８  第３の巻き線
４２０  第１の外側レグ
４２２  第２の外側レグ
４２４  第３の内側レグ
４３４  第４の巻き線
４３６  第５の巻き線
４３８  第６の巻き線
５００  一体化構造
５１２  磁気コア
５１４  第１の巻き線
５１６  第２の巻き線
５２１  第１のコアパーツ
５２２  第２のコアパーツ
５２３  横方向レグ
５２４  横方向レグ
５３４  第４の巻き線
５３６  第５の巻き線
５４４  第６の巻き線
５４６  第７の巻き線
６００  一体化構造
６１２  磁気コア
６１４  第１の巻き線
６１６  第２の巻き線
６２０  第１のレグ
６２２  第２のレグ
６２４  第３のレグ
７００  一体化構造
７１２  磁気コア
７２０  レグ
７２４  レグ
８００  一体化構造
８１２  磁気コア
８２０  第１の外側レグ
８２２  第２の外側レグ
８２４  第３の内側レグ
８４８  第１の巻き線
８４８  第２の巻き線
８６８  第３の誘導性巻き線
９００  一体化構造
９１２  磁気コア
９２０  第１のレグ
９２２  第２のレグ
９２４  第３のレグ
９７４  第１の誘導性巻き線
９７６  第２の誘導性巻き線
【図１】
2012507861.tif 000003
【図２】
2012507861.tif 000004
【図３】
2012507861.tif 000005
【図４】
2012507861.tif 000006
【図５】
2012507861.tif 000007
【図６】
2012507861.tif 000008
【図７】
2012507861.tif 000009
【図８】
2012507861.tif 000010
【図９】
2012507861.tif 000011
【図１０】
2012507861.tif 000012
【国際調査報告】
2012507861.tif 000013
2012507861.tif 000014
2012507861.tif 000015
2012507861.tif 000016
2012507861.tif 000017